(57)【要約】【課題】対象機器との通信に異常が生じた際に、その状況に応じたより適切な動作を行うことの可能な充放電装置を提供する。【解決手段】充放電装置２０は、対象機器４０に搭載された蓄電池４１の充電及び放電を行う。充放電装置２０は、充放電装置２０を制御する統合制御装置３０及び対象機器４０と通信を行う通信部２４と、統合制御装置３０、対象機器４０、及び充放電装置２０による充放電要求に基づいて蓄電池４１に対する充電及び放電を制御する充放電制御部２２と、通信途絶が発生した際の充放電態様を定める代替動作情報が記憶された記憶装置２２０とを備える。充放電制御部２２は、充放電要求に基づいて蓄電池４１の充電及び放電の少なくとも一方が行われている期間に対象機器４０又は統合制御装置３０との通信途絶を検出した際に、代替動作情報に基づいて充放電要求に応じた充放電制御を行う。【選択図】図１
2018074726.tif 000002
【特許請求の範囲】
【請求項１】
対象機器（４０）に搭載された蓄電池（４１）の充電及び放電の少なくとも一方を行う充放電装置（２０）であって、
当該充放電装置を制御する統合制御装置（３０）及び前記対象機器と通信を行う通信部（２４）と、
前記統合制御装置、前記対象機器、及び当該充放電装置の少なくとも一つによる充放電要求に基づいて、前記蓄電池に対する充電及び放電の少なくとも一方を制御する充放電制御部（２２）と、
前記充放電要求に応じた、通信途絶が発生した際の充放電態様を定める代替動作情報が記憶された記憶部（２２０）と、を備え、
前記充放電制御部は、
前記充放電要求に基づいて前記蓄電池の充電及び放電の少なくとも一方が行われている期間に前記対象機器又は前記統合制御装置との通信途絶を検出した際に、前記代替動作情報に基づいて前記充放電要求に応じた充放電制御を行う
充放電装置。
【請求項２】
前記充放電要求には、
手動操作に基づく充放電要求、遠隔操作に基づく充放電要求、及び自動的な充放電要求が含まれ、
前記代替動作情報には、
前記手動操作に基づく充放電要求に対応した動作態様、前記遠隔操作に基づく充放電要求に対応した動作態様、及び前記自動的な充放電要求に応じた動作態様の少なくとも二つの動作態様が記憶されている
請求項１に記載の充放電装置。
【請求項３】
前記代替動作情報には、
時間帯、日時、及び曜日の少なくとも一つに応じた動作態様が更に定められている
請求項１又は２に記載の充放電装置。
【請求項４】
前記記憶部には、
前記代替動作情報において規定される動作態様よりも優先する動作態様を定める優先代替動作情報が更に記憶され、
前記充放電制御部は、
前記充放電要求に基づいて前記蓄電池に対する充電及び放電の少なくとも一方を行っている期間に前記通信途絶が検出された際に、前記蓄電池の蓄電量が予め定められた所定量以下である場合には、前記代替動作情報よりも優先的に前記優先代替動作情報に基づく動作態様を行う
請求項１〜３のいずれか一項に記載の充放電装置。
【請求項５】
前記充放電制御部は、
前記統合制御装置との通信途絶のみを検出する
請求項１〜４のいずれか一項に記載の充放電装置。
【請求項６】
前記充放電制御部は、
前記対象機器又は前記統合制御装置との通信状態を周期的に監視するとともに、
前記対象機器又は前記統合制御装置との通信途絶が連続して発生した回数をカウントするとともに、そのカウント値が予め定められた所定の閾値以上になることをもって、前記通信途絶の検出を確定する
請求項１〜５のいずれか一項に記載の充放電装置。
【請求項７】
前記対象機器は、電動車両である
請求項１〜６のいずれか一項に記載の充放電装置。
【発明の詳細な説明】
【技術分野】
【０００１】
本開示は、対象機器に対して充電及び放電の少なくとも一方を行う充放電装置に関する。
【背景技術】
【０００２】
従来、特許文献１に記載の充電装置がある。特許文献１に記載の充電装置は、電気自動車と通信を行いながら、電気自動車に搭載されたバッテリを充電する。充電装置は、電気自動車との間で行われる通信の異常を検出すると、予め設定された充電パターンにしたがってバッテリの充電を行う。
【先行技術文献】
【特許文献】
【０００３】
【特許文献１】特開平６−３４３２０２号公報
【発明の概要】
【発明が解決しようとする課題】
【０００４】
ところで、特許文献１に記載の充電装置のように、電気自動車との間に通信異常が生じた際に常に一定の充電パターンでバッテリの充電が行われると、通信異常の種類によっては不都合が生じる可能性がある。例えば、近年の電気料金システムの多様化により、電力会社とユーザとの間で、電力を使用する時間帯に制限を設けることにより電気料金が安くなる等の契約を結ぶことが可能な場合がある。このような契約が存在する場合、契約された時間帯以外の時間帯で通信異常が生じた際に一定の充電パターンでバッテリの充電が行われると、契約違反となり、結果的に意図しない高額な電気料金がユーザに請求される可能性がある。また、通信異常の種類によっては、そのまま充電を継続すると、バッテリや充電装置に異常が生じてしまう可能性もある。
【０００５】
なお、このような課題は、充電装置に限らず、対象装置に対して充電及び放電の少なくとも一方を行う充放電装置に共通する課題である。
本開示は、こうした実情に鑑みてなされたものであり、その目的は、対象機器との通信に異常が生じた際に、その状況に応じたより適切な動作を行うことの可能な充放電装置を提供することにある。
【課題を解決するための手段】
【０００６】
上記課題を解決する充放電装置（２０）は、対象機器（４０）に搭載された蓄電池（４１）の充電及び放電の少なくとも一方を行う。充放電装置は、充放電装置を制御する統合制御装置（３０）及び対象機器と通信を行う通信部（２４）と、統合制御装置、対象機器、及び当該充放電装置の少なくとも一つによる充放電要求に基づいて、蓄電池に対する充電及び放電の少なくとも一方を制御する充放電制御部（２２）と、充放電要求に応じた、通信途絶が発生した際の充放電態様を定める代替動作情報が記憶された記憶部（２２０）と、を備える。充放電制御部は、充放電要求に基づいて蓄電池の充電及び放電の少なくとも一方が行われている期間に対象機器又は統合制御装置との通信途絶を検出した際に、代替動作情報に基づいて充放電要求に応じた充放電制御を行う。
【０００７】
充放電装置は充放電要求に基づいて蓄電池の充電及び放電の少なくとも一方を行っている。そのため、通信途絶が発生した際、充放電装置は、充放電要求に応じた充電動作又は放電動作を行っている。したがって、上記構成のように、充放電制御部が代替動作情報に基づいて充放電要求に応じた充放電制御を行えば、通信途絶が発生した際の充放電装置の充放電状態に応じたより適切な充放電制御を選択することができる。すなわち、充放電装置は、通信途絶の発生した状況に応じたより適切な動作を行うことが可能となる。
【０００８】
なお、上記手段、及び特許請求の範囲に記載の括弧内の符号は、後述する実施形態に記載の具体的手段との対応関係を示す一例である。
【発明の効果】
【０００９】
本開示によれば、対象機器との通信に異常が生じた際に、その状況に応じたより適切な動作を行うことの可能な充放電装置を提供できる。
【図面の簡単な説明】
【００１０】
【図１】図１は、第１実施形態の充放電システムの概略構成を示すブロック図である。
【図２】図２は、第１実施形態の統合制御部、充放電制御部、及び蓄電池制御部の動作例を示すシーケンスチャートである。
【図３】図３は、第１実施形態の充放電制御部により実行される通信状態判定処理の手順を示すフローチャートである。
【図４】図４は、第１実施形態の代替動作情報及び優先代替動作情報の一例を示す図表である。
【図５】図５は、第１実施形態のユーザの操作状態、統合制御装置の動作状態、通信状態、及び充放電装置の動作状態の推移を示すタイミングチャートである。
【図６】図６は、第２実施形態の充放電システムの概略構成を示すブロック図である。
【図７】図７は、第１実施形態の代替動作情報の一例を示す図表である。
【図８】図８は、第１実施形態のユーザの操作状態、通信状態、及び充放電装置の動作状態の推移を示すタイミングチャートである。
【発明を実施するための形態】
【００１１】
＜第１実施形態＞
以下、充放電装置の一実施形態について図面を参照しながら説明する。説明の理解を容易にするため、各図面において同一の構成要素に対しては可能な限り同一の符号を付して、重複する説明は省略する。はじめに、本実施形態の充放電装置を用いた充放電システムの概要について説明する。
【００１２】
図１に示されるように、本実施形態の充放電システム１０は、充放電装置２０と、統合制御装置３０と、対象機器４０とを備えている。
充放電装置２０は、電力変換部２１と、充放電制御部２２と、操作部２３と、通信部２４とを有している。
【００１３】
電力変換部２１は、分電盤等を介して電力線５１により電力系統５０に接続されている。また、電力変換部２１は、ケーブル２５を介して対象機器４０と接続されている。対象機器４０が例えば蓄電装置のような移動不可能な機器である場合には、ケーブル２５を介した電力変換部２１と対象機器４０との接続は、常時接続された状態である。また、対象機器４０が例えば電動車両のような移動可能な機器である場合には、ケーブル２５を介した電力変換部２１と対象機器４０との接続は、脱着可能な状態で接続されている状態である。
【００１４】
電力変換部２１は、対象機器４０に搭載される蓄電池４１の充電及び放電を行う。具体的には、電力変換部２１は、蓄電池４１の充電を行う場合、電力系統５０から供給される交流電力を蓄電池４１の充電に適した直流電力に変換するとともに、この変換された直流電力により蓄電池４１の充電を行う。また、電力変換部２１は、蓄電池４１の放電を行う場合、蓄電池４１から供給される直流電力を電力系統５０への放電に適した交流電力に変換するとともに、この変換された交流電力を電力系統５０へ放電する。蓄電池４１から電力系統５０への放電は、いわゆる売電に相当する。また、非常時等に蓄電池４１の放電により宅内の電気機器へ電力を供給することで、停電時でも電気機器を利用することができる。
【００１５】
操作部２３は、充放電装置２０に対する各種操作を行う際にユーザにより操作される。操作部２３では、例えば蓄電池４１の充電の開始及び停止、並びに蓄電池４１の放電の開始及び停止を操作することができる。操作部２３は、ユーザの操作情報を充放電制御部２２に送信する。
【００１６】
通信部２４は、充放電装置２０と統合制御装置３０との間、及び充放電装置２０と対象機器４０との間で有線通信又は無線通信を行うことが可能である。
充放電制御部２２は、マイクロコンピュータを中心に構成されており、記憶部としての記憶装置２２０やカウンタ２２１等を有している。充放電制御部２２は、通信部２４を介して統合制御装置３０及び対象機器４０と通信を行うことが可能である。
【００１７】
充放電制御部２２は、操作部２３から送信されるユーザの操作情報に基づいて電力変換部２１の動作を制御することにより、対象機器４０の蓄電池４１の充電及び放電を制御する。この場合、蓄電池４１の充電及び放電は操作部２３により手動で制御されることになる。また、充放電制御部２２は、蓄電池４１の充電又は放電を自動的に制御することもできる。さらに、充放電制御部２２は、統合制御装置３０から通信部２４を介して充電開始要求、充電停止要求、放電開始要求、及び放電停止要求のいずれかを受信した場合には、その要求内容に応じて蓄電池４１の充電及び放電を制御する。
【００１８】
対象機器４０は、充放電装置２０により充電及び放電が制御される機器である。対象機器４０は、ハイブリッド車両や電気自動車を含む電動車両等である。対象機器４０は、蓄電池４１と、蓄電池制御部４２と、通信部４３とを有している。
蓄電池４１は、充放電装置２０から供給される直流電力を充電する。なお、対象機器４０が電動車両である場合には、蓄電池４１は、電動車両の走行に伴い発電される電力も充電することが可能である。また、蓄電池４１は、放電により、対象機器４０に搭載される各種電子機器に電力を供給することもできる。
【００１９】
通信部４３は、充放電装置２０との間で有線通信又は無線通信を行うことが可能である。
蓄電池制御部４２は、マイクロコンピュータを中心に構成されている。蓄電池制御部４２は、通信部４３を介して充放電装置２０と通信を行いつつ、蓄電池４１の充電及び放電を制御する。また、蓄電池制御部４２は、蓄電量等の蓄電池４１の状態に関する情報を監視している。蓄電池制御部４２は、蓄電池４１の充電又は放電が行われる際、蓄電池４１に関する情報を通信部４３を介して充放電装置２０に送信している。さらに、蓄電池制御部４２は、対象機器４０に対するユーザの手動操作に基づいて充電開始要求、充電停止要求、放電開始要求、及び放電停止要求を充放電装置２０に対して行うこともできる。また、蓄電池制御部４２は、蓄電池４１の充放電制御において、充電開始要求、充電停止要求、放電開始要求、及び放電停止要求を自動的に充放電装置２０に対して行うこともできる。
【００２０】
統合制御装置３０は、充放電装置２０だけでなく、図示しないその他の機器の充電及び放電を統括的に制御している。統合制御装置３０は、例えばＨＥＭＳ（Home Energy Management System）装置である。統合制御装置３０は、統合制御部３１と、操作部３２と、第１通信部３３と、第２通信部３４とを有している。
【００２１】
操作部３２は、統合制御装置３０に対する各種操作を行う際にユーザにより操作される。操作部３２では、例えば蓄電池４１の充電の開始及び停止、並びに蓄電池４１の放電の開始及び停止を操作することができる。操作部３２は、ユーザの操作情報を統合制御部３１に送信する。
【００２２】
第１通信部３３は、充放電装置２０との間で有線通信又は無線通信を行うことが可能である。第２通信部３４は、ユーザの所持する端末装置６０との間で無線通信を行うことが可能である。端末装置６０でも、蓄電池４１の充電の開始及び停止、並びに放電の開始及び停止を操作することができる。
【００２３】
統合制御部３１は、操作部３２の操作情報に基づいて、充電開始要求、充電停止要求、放電開始要求、及び放電停止要求を第１通信部３３を介して充放電装置２０に行う。この場合、蓄電池４１の充電及び放電は操作部３２により手動で制御されることになる。
また、統合制御部３１は、端末装置６０の操作情報を第２通信部３４を介して受信すると、その操作情報に応じた要求を第１通信部３３を介して充放電装置２０に行う。例えば、統合制御部３１は、充電開始要求、充電停止要求、放電開始要求、及び放電停止要求を充放電装置２０に対して行う。この場合、蓄電池４１の充電及び放電は端末装置６０の遠隔操作により制御されることになる。
【００２４】
さらに、統合制御部３１は、対象機器４０を含む各種機器の電力の需給状態を自動的に管理する電力管理制御を行っている。電力管理制御には、電気料金の安い時間帯に各種機器への充電を行う制御処理や、各種機器の総電力量が上限値を超えそうな場合に各種機器の動作を制限する制御処理等が含まれている。統合制御部３１は、この電力管理制御に基づいて充電開始要求、充電停止要求、放電開始要求、及び放電停止要求を充放電装置２０に対して行う。これにより、蓄電池４１の充電及び放電が統合制御装置３０により自動的に制御されることになる。
【００２５】
次に、蓄電池４１の充電又は放電が行われる際の充放電システム１０の動作について具体的に説明する。
図２に示されるように、統合制御部３１が、例えばステップＳ１０の処理として、操作部３２に対するユーザの操作に基づいて、あるいは電力管理制御に基づいて充電又は放電を開始したとする。この場合、統合制御部３１は、ステップＳ１１の処理として、充電開始要求又は放電開始要求を充放電装置２０に送信する。本実施形態では、充放電開始要求及び放電開始要求が充放電要求に相当する。
【００２６】
充電開始要求及び放電開始要求には、充放電トリガ情報及び要求元情報が含まれている。充放電トリガ情報は、ユーザの手動操作に基づいて充電又は放電を開始する状況、ユーザの遠隔操作に基づいて充電又は放電を開始する状況、及び電力管理制御に基づいて自動的に充電又は放電を開始する状況のいずれの状況で充電又は放電を開始するかを示す情報である。要求元情報は、充電開始要求又は放電開始要求の発行元を示す情報である。図２に示される動作例では、統合制御部３１が充電開始要求又は放電開始要求を行っているため、要求元情報は統合制御装置３０となる。
【００２７】
なお、充放電装置２０の操作部２３に対するユーザの操作に基づいて充放電装置２０が充電開始又は放電開始を行う場合には、要求元情報は充放電装置２０となる。
充放電制御部２２は、ステップＳ１２の処理として、統合制御部３１から充電開始要求又は放電開始要求を受信すると、受信した充電開始要求又は放電開始要求を蓄電池制御部４２に送信する。これにより、蓄電池制御部４２も、ステップＳ１３の処理として、充電開始要求又は放電開始要求を受信する。以上により、充放電制御部２２及び蓄電池制御部４２が共に充電開始又は放電開始を認知した状態となる。
【００２８】
充放電制御部２２及び蓄電池制御部４２は、充電開始又は放電開始を認知した状態になると、ステップＳ１４の処理として、充電開始準備又は放電開始準備を行う。この充電開始準備又は放電開始準備では、充放電制御部２２及び蓄電池制御部４２は、例えば双方向で通信を行うことにより、ケーブル２５が適切に接続されている状態であるか否か等、蓄電池４１に対する充電又は放電を適切に行うことができる状態であるか否かを判定する。
【００２９】
充放電制御部２２は、ステップＳ１４の処理において充電開始準備又は放電開始準備が完了すると、ステップＳ１５の処理として、充放電条件を記憶する。具体的には、充放電制御部２２は、充電開始要求又は放電開始要求に含まれる充放電トリガ情報及び要求元情報を記憶装置２２０に記憶させる。
【００３０】
なお、充放電制御部２２は、操作部２３の操作に基づいて蓄電池４１の充電又は放電を行う場合には、充放電トリガ情報として、ユーザの手動操作に基づいて充電又は放電を開始する状況であることを、また要求元情報として、充放電制御部２２であることを充放電条件として記憶装置２２０に記憶させる。
【００３１】
その後、充放電制御部２２及び蓄電池制御部４２は、ステップＳ１６の処理として、充電動作又は放電動作を開始する。充放電制御部２２は、充電動作又は放電動作を行っている期間、ステップＳ１７の処理として、通信状態判定処理を実行する。ステップＳ１７に示される通信状態判定処理は、充放電装置２０と統合制御装置３０との通信状態を検出するための処理と、充放電装置２０と対象機器４０との通信状態を検出するための処理とからなる。これらの処理は基本的には同様の処理であるため、ここでは、充放電装置２０と統合制御装置３０との通信状態を検出するための処理について代表して説明する。
【００３２】
図３に示されるように、充放電制御部２２は、まず、ステップＳ１７０の処理として、充電動作又は放電動作に伴う初回の通信時であるか否かを判断する。充放電制御部２２は、初回の通信時である場合には、ステップＳ１７０の処理で肯定判断し、ステップＳ１７１の処理として、カウンタ２２１の値Ｃをリセットする。
【００３３】
充放電制御部２２は、ステップＳ１７１の処理を実行した場合、あるいはステップＳ１７０の処理で否定判断した場合には、ステップＳ１７２の処理として、統合制御装置３０からの通信応答の有無を判定する。例えば充放電制御部２２は、統合制御装置３０に対して所定のトリガ信号を送信した後、このトリガ信号に対して統合制御装置３０及び対象機器４０から送信される応答信号を所定時間以内に受信することができるか否かに基づいて通信応答の有無を判定する。
【００３４】
充放電制御部２２は、統合制御装置３０から通信応答があった場合、すなわちステップＳ１７２の処理で肯定判定した場合には、ステップＳ１７３の処理として、カウンタ２２１の値Ｃをリセットする。一方、充放電制御部２２は、統合制御装置３０から通信応答がなかった場合、すなわちステップＳ１７２の処理で否定判断した場合には、ステップＳ１７４の処理としてカウンタ２２１の値Ｃをインクリメントする。
【００３５】
充放電制御部２２は、ステップＳ１７３の処理又はステップＳ１７４の処理を実行した後、ステップＳ１７５の処理として、カウンタ２２１の値Ｃが予め定められた閾値Ｃｔｈ以上であるか否かを判断する。充放電制御部２２は、カウンタ２２１の値Ｃが閾値Ｃｔｈ未満である場合には、ステップＳ１７５の処理で否定判断し、ステップＳ１７６の処理として、統合制御装置３０との通信状態は正常状態であると判定する。一方、充放電制御部２２は、カウンタ２２１の値Ｃが閾値Ｃｔｈ以上である場合には、ステップＳ１７５の処理で肯定判断し、ステップＳ１７７の処理として、統合制御装置３０との通信状態が途絶状態であると判定する。
【００３６】
充放電制御部２２は、図２に示されるステップＳ１７の処理において、対象機器４０との通信状態を判定するための処理として、図３に示される処理と同様の処理を実行する。
図２に示されるように、充放電制御部２２は、ステップＳ１７の処理に続くステップＳ１８の処理として、統合制御装置３０及び対象機器４０との通信状態が正常状態であるか否かを判断する。充放電制御部２２は、ステップＳ１７の処理において統合制御装置３０及び対象機器４０との通信状態が共に正常状態であるという判定結果を得た場合には、ステップＳ１８の処理で肯定判断し、ステップＳ１６の処理に戻る。すなわち、充放電制御部２２は、ステップＳ１６の処理として、充電動作及び放電動作を継続するとともに、ステップＳ１７の処理として、図３に示される通信状態判定処理を実行する。なおこの場合、充放電制御部２２は、図３のステップＳ１７０の処理で否定判断する。このように、充放電制御部２２は、通信状態判定処理を周期的に実行するため、統合制御装置３０及び対象機器４０との通信状態を周期的に監視することができる。
【００３７】
一方、図２に示されるように、充放電制御部２２は、ステップＳ１７の処理において統合制御装置３０及び対象機器４０のいずれか一方の通信状態が途絶状態であるという判定結果を得た場合には、ステップＳ１８の処理で否定判断し、ステップＳ１９の処理として、代替動作を選択する。
【００３８】
具体的には、充放電制御部２２の記憶装置２２０には、充放電要求に応じた、通信途絶が発生した際の充放電態様を定める代替動作情報及び優先代替動作情報が記憶されている。代替動作情報及び優先代替動作情報には、図４に示されるように、「充電動作」、「放電動作」、及び「停止動作」の３つのカテゴリが含まれている。
【００３９】
各カテゴリには、「要求元」のカテゴリが含まれている。「要求元」のカテゴリは、充電開始要求又は放電開始要求を発行した装置、並びにその要求が手動操作、自動操作、及び遠隔操作のいずれに基づいて行われたものであるかを示す。例えば「手動操作：充放電装置」は、充放電装置２０における操作部２３の手動操作により充電動作開始要求が行われた場合を示す。「自動操作：統合制御装置」は、統合制御装置３０による電力管理制御に基づいて自動的に充電動作開始要求が行われた場合を示す。
【００４０】
「代替動作情報」のカテゴリには、「デフォルト」、及び「対応時間帯」のカテゴリが含まれている。
「デフォルト」のカテゴリは、通信途絶の発生の際に実行される標準的な代替動作を示す。例えば「充電動作」は、充電動作を許可することを示す。また、「動作を停止」は、充電動作又は放電動作を停止することを示す。さらに、「動作停止後に再開」は、通信途絶中は充電動作又は放電動作を停止して待機するとともに、通信が回復した場合には充電動作又は放電動作を再開することを示す。
【００４１】
「対応時間帯」は、「デフォルト」の代替動作が許可される時間帯を示している。したがって、例えば「終日」は、「デフォルト」の代替動作が終日許可されることを示す。「時刻ｔ１〜時刻ｔ２」は、「デフォルト」の代替動作が時刻ｔ１〜時刻ｔ２の期間だけ許可されることを示す。
【００４２】
「優先代替動作情報」は、代替動作情報において規定される動作態様よりも優先する動作態様を定めたものである。「優先代替動作情報」には、「蓄電池４１の残容量が基準以下の場合」のカテゴリが含まれている。「蓄電池４１の残容量が基準以下の場合」のカテゴリは、通信途絶が検出された際の蓄電池４１の蓄電量が予め定められた所定量以下である場合に実行される代替動作を示す。例えば、「充電動作（フル）」は、蓄電池４１の蓄電量が満充電になるまで充電動作を継続することを示す。「充電動作」は、蓄電池４１の蓄電量が予め定められた所定量になるまで充電動作を継続することを示す。
【００４３】
なお、図４に記載されている「・・・」は、記載内容を省略して示したものである。また、代替動作情報の内容及び優先代替動作情報の内容は、例えば充放電装置２０の操作部２３や統合制御装置３０の操作部３２をユーザが操作することにより任意に変更可能である。
【００４４】
図２に示されるように統合制御装置３０から充放電制御部２２に充電開始要求又は放電開始要求が送信されている場合、充放電開始要求又は放電開始要求には、充放電トリガ情報及び要求元情報が含まれている。この場合、要求元情報は「統合制御装置」となる。そして、充放電制御部２２は、充放電トリガ情報に含まれる情報に応じて、異なる代替動作を選択する。
【００４５】
例えば充放電トリガ情報に含まれている情報が「操作部３２の手動操作に基づき充電動作を開始した状況である」ことを示す情報である場合には、充放電制御部２２は、ステップＳ１９の処理として、時刻ｔ１〜時刻ｔ２の期間だけ充電動作を停止する動作を代替動作として選択する。但し、蓄電池４１の蓄電量が予め定められた所定量以下である場合には、充放電制御部２２は、ステップＳ１９の処理として、蓄電池４１の蓄電量が予め定められた所定量になるまで充電動作を継続する動作を代替動作として優先的に選択する。
【００４６】
また、充放電トリガ情報に含まれている情報が「電力管理制御に基づき自動的に充電動作を開始した状況である」ことを示す情報である場合には、充放電制御部２２は、ステップＳ１９の処理として、通信途絶中は充電動作又は放電動作を停止して待機するとともに、通信が回復した場合には充電動作又は放電動作を再開する動作を代替動作として選択する。但し、蓄電池４１の蓄電量が予め定められた所定量以下である場合には、充放電制御部２２は、ステップＳ１９の処理として、蓄電池４１の蓄電量が予め定められた所定量になるまで充電動作を継続する動作を代替動作として優先的に選択する。
【００４７】
なお、充放電制御部２２は、ユーザによる操作部２３の手動操作、あるいは自動的な充放電制御に基づいて充電動作又は放電動作を開始する場合には、その操作情報に応じた代替動作を図４に示される代替動作情報及び優先代替動作情報から選択する。また、充放電制御部２２は、ユーザによる対象機器４０の手動操作、あるいは対象機器４０の自動的な充放電制御に基づいて充電動作又は放電動作を開始する場合には、その操作情報に応じた代替動作を図４に示される代替動作情報及び優先代替動作情報から選択する。
【００４８】
充放電制御部２２及び蓄電池制御部４２は、ステップＳ１９の処理に続くステップＳ２０の処理として、ステップＳ１９で選択された代替動作を実行する。
なお、充放電制御部２２、統合制御部３１、及び蓄電池制御部４２は、充電又は放電の停止の際にも、図２に示される動作に準じた動作を行う。
【００４９】
次に、充放電制御部２２及び統合制御部３１の動作例について説明する。
図５（Ｂ）に示されるように、例えば時刻ｔ１０で統合制御装置３０が電力管理制御に基づいて充電開始要求を充放電装置２０に送信したとする。この場合、図５（Ｄ）に示されるように、充放電装置２０は、時刻ｔ１０から蓄電池４１の充電を開始する。その後、図５（Ｃ）に示されるように、時刻ｔ１１で充放電装置２０と統合制御装置３０との間の通信が途絶したとすると、充放電装置２０は代替動作を実行する。この場合、充放電装置２０は、図４に示される「充電動作」の「代替動作情報」における「自動操作：統合制御装置」の欄の動作を選択する。すなわち、充放電装置２０は、代替動作として、通信途絶中は充電動作又は放電動作を停止して待機するとともに、通信が回復した場合には充電動作又は放電動作を再開する。したがって、図５（Ｄ）に示されるように、充放電装置２０は、時刻ｔ１１から、通信が回復する時刻ｔ１２までの期間、充電動作の停止を継続する。この場合、時刻ｔ１１から蓄電池４１の充電が停止されることになる。
【００５０】
その後、図５（Ａ）に示されるように、時刻ｔ１３でユーザが充放電装置２０の操作部２３を操作して充電動作を開始したとすると、図５（Ｄ）に示されるように、充放電装置２０は、時刻ｔ１３から充電動作を開始する。その後、図５（Ｃ）に示されるように、時刻ｔ１４で充放電装置２０と統合制御装置３０との間の通信が途絶したとすると、図５（Ｄ）に示されるように、充放電装置２０は代替動作を実行する。この場合、充放電装置２０は、図４に示される「充電動作」の「代替動作情報」における「手動操作：充放電装置」の欄の動作を選択する。すなわち、充放電装置２０は、代替動作として、充電動作を終日実行する。したがって、図５（Ｄ）に示されるように、充放電装置２０は、時刻ｔ１４から、通信が回復する時刻ｔ１５までの期間、充電動作を継続する。この場合、時刻ｔ１３から、ユーザによる対象機器４０の利用が開始される時刻ｔ１６までの期間、蓄電池４１の充電が継続されることになる。
【００５１】
以上説明した本実施形態の充放電装置２０によれば、以下の（１）〜（５）に示される作用及び効果を得ることができる。
（１）充放電制御部２２は、充放電要求に基づいて充電又は放電が行われている期間に統合制御装置３０及び対象機器４０のいずれか一方の通信状態が途絶状態であると判定した場合、代替動作情報に基づいた充放電制御を行う。代替動作情報は、充放電要求に応じた、通信途絶が発生した際の充放電態様を定めるものである。ここで、充放電装置２０は充放電要求に基づいて蓄電池４１の充電及び放電の少なくとも一方を行っている。そのため、通信途絶が発生した際、充放電装置２０は、充放電要求に応じた充電動作又は放電動作を行っている。したがって、充放電制御部２２が代替動作情報に基づいて充放電要求に応じた充放電制御を行えば、通信途絶が発生した際の充放電装置の充放電状態に応じたより適切な充放電制御を選択することができる。すなわち、充放電装置は、通信途絶の発生した状況に応じたより適切な動作を行うことが可能となる。
【００５２】
（２）代替動作情報には、手動操作に基づく充放電要求に対応した動作態様、遠隔操作に基づく充放電要求に対応した動作態様、及び自動的な充放電要求に応じた動作態様が記憶されている。代替動作情報では、例えば操作部２３に対する手動操作に基づいて充電を開始している場合には、充電動作を継続することとした。また、端末装置６０の遠隔操作に基づいて充電を開始している場合には、安全を考慮し、充電動作を停止することとした。さらに、統合制御装置３０による自動操作により充電を開始している場合には、通信途絶中は充電動作を停止し待機するとともに、通信が回復した場合には充電動作を再開することとした。これにより、充放電装置２０は、各種の充放電要求に応じた、より適切な動作態様を選択することができる。
【００５３】
（３）代替動作情報には、時間帯及び日時に応じた動作態様が更に定められている。これにより、充放電装置２０の動作態様をより詳細に定めることができるため、充放電装置２０は、各種の充放電要求に応じた、更に適切な動作態様を選択することができる。
（４）充放電制御部２２は、通信途絶が検出された際に蓄電池４１の蓄電量が予め定められた所定量以下である場合には、代替動作情報よりも優先的に優先代替動作情報に基づく動作態様を行う。これにより、蓄電池４１の蓄電量が少ない場合には充電動作等が優先的に実行されるため、ユーザの利便性を向上させることができる。
【００５４】
（５）充放電制御部２２は、統合制御装置３０及び対象機器４０との通信状態を周期的に監視する。そして、充放電制御部２２は、通信途絶が連続して発生した回数をカウンタ２２１によりカウントするとともに、そのカウント値Ｃが予め定められた所定の閾値Ｃｔｈ以上になることをもって、通信途絶の検出を確定する。これにより、統合制御装置３０及び対象機器４０の種別によらずに通信途絶を検出することができる。
【００５５】
＜第２実施形態＞
次に、充放電装置２０の第２実施形態について説明する。以下、第１実施形態の充放電装置２０との相違点を中心に説明する。
図６に示されるように、本実施形態の統合制御装置３０は、アグリゲータにより管理される装置である。アグリゲータは、複数の需要家７０の電力需要を統括的に管理する電力会社や企業等である。アグリゲータと需要家７０との間で契約を交わすとともに、その契約に基づいた電力管理を需要家７０が行うことにより、需要家７０は、例えば電気料金が割安になる等のリターンを得ることができるようになっている。統合制御装置３０は、例えばアグリゲータの電力需要予測や需要家７０との契約等に基づいて宅内の充放電に一定の制限や指示を行う。
【００５６】
このような充放電システム１０では、統合制御装置３０と、需要家７０に設置された充放電装置２０との通信が途絶すると、充放電装置２０が契約に基づく電力管理を実行できない可能性がある。仮に充放電装置２０が、契約に違反するような宅内の充放電を実行すると、電気料金が高くなる等の不都合が生じるおそれがある。
【００５７】
そこで、図７に示されるように、本実施形態の代替動作情報では、「充電動作」の「手動操作：充放電装置」における「対応時間帯」が「時刻ｔ２０〜時刻ｔ２１」に制限されている。この時間帯は、需要家７０とアグリゲータとの契約により、電力系統５０から需要家７０への電力供給が許可されている時間に対応している。
【００５８】
次に、本実施形態の充放電装置２０の動作例について説明する。
図８（Ａ），（Ｃ）に示されるように、例えば時刻ｔ３０でユーザによる充放電装置２０の操作部２３に対する手動操作に基づいて充放電装置２０が蓄電池４１の充電を開始したとする。この場合、図８（Ｂ）に示されるように、時刻ｔ３１で充放電装置２０と統合制御装置３０との間の通信が途絶したとすると、充放電装置２０は代替動作を実行する。この場合、充放電装置２０は、図７に示される「充電動作」の「代替動作情報」における「手動操作：充放電装置」の欄の動作を選択する。すなわち、充放電装置２０は、代替動作として、時刻ｔ２０から時刻ｔ２１までの期間だけ充電動作を実行する。したがって、図８（Ｄ）に示されるように、充放電装置２０は、時刻ｔ３１から時刻ｔ２１までの期間だけ蓄電池４１の充電を実行し、時刻ｔ２１以降は蓄電池４１の充電を停止する。
【００５９】
以上説明した本実施形態の充放電装置２０によれば、以下の（６）に示される作用及び効果を更に得ることができる。
（６）代替動作情報には、アグリゲータと需要家７０との間で交わされた契約に基づく時間帯に応じた動作態様が更に定められている。これにより、需要家７０がアグリゲータとの契約に違反し難い動作を保証することができるため、高額な電気料金が請求される等の不都合を未然に防ぐことができる。
【００６０】
なお、各実施形態は、以下の形態にて実施することもできる。
・対象機器４０が電動車両である場合、充放電装置２０と電動車両との間の通信プロトコルが規格化されていることがある。したがって、電動車両と充放電装置２０との間の通信途絶に関する対応方法として、この規格に基づく対応方法を取ることが考えられる。このような場合には、充放電制御部２２は、統合制御装置３０との通信途絶のみを検出するものであってもよい。また、代替動作情報及び優先代替動作情報は、充放電装置２０と統合制御装置３０との充放電態様のみを定めるものであってもよい。
【００６１】
・対象機器４０が電動車両である場合、通信途絶が問題になるケースは、電動車両から充放電要求がある状況くらいである。したがって、充放電装置２０と電動車両との間の通信途絶が問題になるケースは極めて少ない。そのため、充放電制御部２２は、統合制御装置３０との通信途絶のみを検出するものであってもよい。また、代替動作情報及び優先代替動作情報は、充放電装置２０と統合制御装置３０との充放電態様のみを定めるものであってもよい。
【００６２】
・充放電装置２０は、蓄電池４１に対して充電及び放電のいずれか一方を行うものであってもよい。充放電装置２０が蓄電池４１の充電のみを行う場合、図２に示される充放電要求は、充電開始要求に相当する。また、充放電装置２０が蓄電池４１の放電のみを行う場合、図２に示される充放電要求は、放電開始要求に相当する。
【００６３】
・図４に示される代替動作情報には、時間帯及び日時の他、例えば曜日に応じた動作態様が定められていてもよい。要は、代替動作情報は、時間帯、日時、及び曜日の少なくとも一つに応じた動作態様を定めるものであればよい。
・充放電制御部２２が提供する手段及び／又は機能は、実体的な記憶装置２２０に記憶されたソフトウェア及びそれを実行するコンピュータ、ソフトウェアのみ、ハードウェアのみ、あるいはそれらの組み合わせにより提供することができる。例えば充放電制御部２２がハードウェアである電子回路により提供される場合、それは多数の論理回路を含むデジタル回路、又はアナログ回路により提供することができる。
【００６４】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００６５】
２０：充放電装置
２２：充放電制御部
２４：通信部
３０：統合制御装置
４０：対象機器
４１：蓄電池
２２０：記憶装置（記憶部）
【図１】
2018074726.tif 000003
【図２】
2018074726.tif 000004
【図３】
2018074726.tif 000005
【図４】
2018074726.tif 000006
【図５】
2018074726.tif 000007
【図６】
2018074726.tif 000008
【図７】
2018074726.tif 000009
【図８】
2018074726.tif 000010